(57)【要約】【課題】不使用時に嵩張らない耳カバーを提供することである。【解決手段】一対の耳あて１０のそれぞれが、バンド２０の長手方向の両端部に重なり合う延出片１２を有し、この延出片１２に軸部１３を、バンド２０の長手方向の両端部に軸孔２３をそれぞれ設けて、軸部１３を軸孔２３に押し込んで、互いに重なり合う面にほぼ垂直な回転軸を中心に回転可能に連結する構成を採用したのである。バンド２０は両端部が接近する向きの弾性を有している。耳カバーを頭から外した状態で、耳あて１０をバンド２０に対して互いに逆向きに回転させることで、バンド２０が丸まる際に耳あて１０同士が干渉することが防止される。そのため、不使用時にコンパクトにまとめることができる。【選択図】図５
0003145987.tif 000002
【実用新案登録請求の範囲】
【請求項１】
左右の耳にそれぞれあてがわれる一対の耳あて１０と、
この一対の耳あて１０間を連結し、長手方向の両端部が接近する向きの弾性を有する、湾曲するバンド２０と、を備え、
前記一対の耳あて１０のそれぞれが、前記バンド２０の長手方向の両端部に重なり合う延出片１２を有し、
この延出片１２と前記バンド２０の長手方向の両端部とが、その重なり合う面に対して略垂直の回転軸を中心に回転可能に連結される耳カバー。
【請求項２】
前記延出片１２と前記バンド２０の長手方向の両端部のいずれか一方が、前記重なり合う面から突出する軸部１３を有し、
前記延出片１２と前記バンド２０の長手方向の両端部のいずれか他方が、前記重なり合う面に形成され、前記軸部１３が回転可能にはめ込まれる軸孔２３を有する請求項1に記載の耳カバー。
【請求項３】
前記軸部１３が、先端に半球形の抜け止め部を有し、
前記軸孔２３が、前記抜け止め部の球径よりも小径の円孔と、この円孔に連続するスリットと、からなる請求項２に記載の耳カバー。
【請求項４】
前記延出片１２と前記バンド２０の長手方向の両端部とが、その重なり合う面に、互いの長手方向が略一致した状態で前記耳あて１０とバンド２０とを仮固定可能な仮固定部を有する請求項1から３のいずれかに記載の耳カバー。
【請求項５】
前記仮固定部が、
前記延出片１２と前記バンド２０の長手方向の両端部のいずれか一方の、前記重なり合う面に形成されるロック爪２４と、
前記延出片１２と前記バンド２０の長手方向の両端部のいずれか他方の、前記重なり合う面に形成され、幅方向に並列して長手方向に延び、その間に前記ロック爪２４を保持可能な対の保持突条１４と、からなる請求項４に記載の耳カバー。
【請求項６】
前記バンド２０が、長さ調節可能な請求項1から５のいずれかに記載の耳カバー。
【請求項７】
前記耳あてが、少なくともその耳あて面に起毛を有する請求項１から６のいずれかに記載の防寒用の耳カバー。
【請求項８】
前記耳あてが、スピーカーを内蔵する請求項１から６のいずれかに記載のヘッドホン用の耳カバー。
【考案の詳細な説明】
【技術分野】
【０００１】
この考案は、耳カバーに関する。
【背景技術】
【０００２】
左右の耳にそれぞれあてがわれる起毛を有する一対の耳あてと、この一対の耳あて間を連結する湾曲するバンドと、からなる防寒用の耳カバーが知られている。
この湾曲するバンドとしては、通常は丸まる向き（長手方向の両端部が接近する向き）の弾性を有するものが用いられる。
そのため、その弾性に抗して両耳あてを離間し、それぞれを左右の耳にあてがうと、バンドの復元弾性により、頭は左右から耳あてに挟み込まれることになる。
したがって、耳カバーの頭への装着状態が維持され、自転車を運転していて両手が使えないときなどにも、耳を耳あての起毛で覆って防寒することが可能となる。
【０００３】
しかし、このような耳カバーを頭から外した場合には、バンドの弾性により丸まろうとしても、耳あて同士が干渉しあってバンドがうまく丸まらないため、コンパクトにならず持ち運びに不便である。
そこで特許文献１のように、そのバンドを長さ調節可能として、耳カバーを頭から外した場合にバンドを短くして嵩張りを抑えたものも知られている。
しかし、バンドを伸縮するだけの構成では、耳カバー不使用時のコンパクト化にも限界がある。
【特許文献１】特許第３６９７３８１号公報
【考案の開示】
【考案が解決しようとする課題】
【０００４】
そこでこの考案の解決すべき課題は、不使用時に嵩張らない耳カバーを提供することである。
【課題を解決するための手段】
【０００５】
上記した課題を解決するため、左右の耳にそれぞれあてがわれる一対の耳あてと、この一対の耳あて間を連結し、長手方向の両端部が接近する向きの弾性を有する、湾曲するバンドと、を備える耳カバーについて、一対の耳あてのそれぞれが、バンドの長手方向の両端部に重なり合う延出片を有し、この延出片とバンドの長手方向の両端部とが、その重なり合う面に対して略垂直の回転軸を中心に回転可能に連結される構成を採用したのである。
【０００６】
頭から外した状態で、両耳あてをバンドに対して互いに逆向きに回転させることで、バンドが丸まっても、耳あて同士が干渉することはない。
そのため、耳カバーの不使用時にバンドが十分に丸まって、コンパクトにまとめることが可能である。
【０００７】
ここで、前記延出片と前記バンドの長手方向の両端部のいずれか一方が、前記重なり合う面から突出する軸部を有し、前記延出片と前記バンドの長手方向の両端部のいずれか他方が、前記重なり合う面に形成され、前記軸部が回転可能にはめ込まれる軸孔を有し、この軸部と軸孔とで耳あてとバンドを回転可能に連結するのが、構造が簡易であるため好ましい。
【０００８】
さらに前記軸部が、先端に半球形の抜け止め部を有し、前記軸孔が、前記抜け止め部の球径よりも小径の円孔と、この円孔から延びるスリットと、からなるのが、さらに好ましい。
【０００９】
また、前記延出片と前記バンドの長手方向の両端部とが、その重なり合う面に、互いの長手方向が略一致した状態で前記耳あてとバンドとを仮固定可能な仮固定部を有すると、耳カバーを頭に装着した状態で耳あてがバンドに対して回転することが防止されるため、頭から外れにくくなる。
【００１０】
さらに前記仮固定部は、前記延出片と前記バンドの長手方向の両端部のいずれか一方の、前記重なり合う面に形成されるロック爪と、前記延出片と前記バンドの長手方向の両端部のいずれか他方の、前記重なり合う面に形成され、幅方向に並列して長手方向に延び、その間に前記ロック爪を保持可能な対の保持突条と、からなるのが、構造が簡易であるため好ましい。
【００１１】
前記バンドを長さ調節可能とすると、一層のコンパクト化が図られる。
また、このような耳カバーとしては、耳あての少なくとも耳あて面に起毛を有する防寒用や、耳あてにスピーカーを内蔵するヘッドホン用が好ましい。
【考案の効果】
【００１２】
耳あてをバンドに対して回転可能に構成したので、耳カバーを頭から外した状態で、耳あて同士が干渉しないように逆向きに回転させることができ、これによりバンドが十分に丸まるため、従来の耳あてとバンドとが回転不能に固定された耳カバーに比べてコンパクトにまとまる。
【考案を実施するための最良の形態】
【００１３】
図１および図２に示す実施形態の防寒用耳カバー１は、一対の起毛を有する耳あて１０と、この一対の耳あて１０間を連結する湾曲する長尺のバンド２０と、を備える。
バンド２０は丸まる向き（その長手方向の両端部が接近する向き）の弾性を有している。
この耳カバー１を使用する場合には、耳あて１０間をバンド２０の弾性に抗して手で離間し（図１および図２は離間した状態を示す。）、各耳あて１０をそれぞれ左右の耳にあてがう。
するとバンド２０の復元弾性により、頭は左右から耳あて１０に弾性的に挟み込まれ、これにより装着状態が維持され、起毛を有する耳あて１０に耳が覆われることで、防寒になる。
【００１４】
より詳しくは、耳あて１０は、椀状の耳あて本体１１と、耳あて本体１１から延びる延出片１２と、を備え、これら耳あて本体１１および延出片１２は、外面に起毛を有する覆い３０により覆われている。
延出片１２の外端部の外面からは軸部１３が突出しており、その先端は半球形の抜け止め部となっている。
また延出片１２の外面には、その長手方向に延びる二条の保持突条１４が、軸部１３を間に挟んでほぼ平行に延びている。
これら耳あて本体１１と延出片１２（軸部１３、保持突条１４を含む）とは合成樹脂により一体に成型されて弾性を有している。
【００１５】
また、バンド２０は、重ねあわされた一対のバンド本体２１と、各バンド本体２１の先端に連設され、互いを長手方向にスライド可能に結合する方環形のリング２２と、を備え、これらバンド本体２１およびリング２２は、外面に起毛を有する覆い３０により、耳あて１０とともに覆われている。
バンド本体２１同士をスライドさせることでバンド２０全体の長さ調節が可能になっており、そのリング２２同士が突き当たるところが長さの上限となる。
【００１６】
バンド２０の長手方向の両端部、すなわち各バンド本体２１の長手方向の外端部には、厚み方向に貫通する軸孔２３が形成されている。
軸孔２３は前記延出片１２に形成された軸部１３の抜け止め部の球径よりも小径の円孔と、この円孔に連続してバンド本体２１の長手方向内側に延びるスリットとから構成される。
またバンド本体２１の軸孔２３よりもさらに外端の外面には、ロック爪２４が形成されている。
各バンド本体２１（軸孔２３、ロック爪２４を含む）、リング２２は合成樹脂により一体に成型されてそれぞれ弾性を有している。
【００１７】
ここで耳あて１０の延出片１２とバンド２０の両端部とは、その軸部１３と軸孔２３が対向した状態で重なり合っており、軸孔２３には、耳あて１０の軸部１３がそれぞれはめ込まれている。
そして軸孔２３の円孔は軸部１３の抜け止め部の球径よりも小径であるが、軸孔２３に軸部１３を押し当てるとバンド２０の弾性によりスリットが開いて押し込むことができ、押し込み後はスリットが閉じるため、抜け止め状態が維持される。
これにより、耳あて１０とバンド２０とは、軸部１３を中心に互いに回転可能に連結されることになる。
【００１８】
ここでバンド２０は、その材質により、上記のとおり一対の耳あて１０が接近する向き（すなわちバンド２０が丸まる向き）の弾性を有している。
【００１９】
実施形態の耳カバー１の構成は以上のようであり、その不使用時には、図３および図４のように、各耳あて１０をその延出片１２の長手方向が、延出片１２が連結された各バンド２０の長手方向に対してほぼ直角をなすまで回転させる。
図では、回転の向きを矢印で示し、このように回転の向きは両耳あてで逆向きとする。
そして、バンド本体２１をスライドさせて下限まで長さを短くすると、図５のように、両耳あて１０同士が干渉することがなく、コンパクトにまとめることができる。
【００２０】
一方耳カバー１の使用時には、各耳あて１０をその延出片１２の長手方向が、延出片１２が連結された各バンド本体２１の長手方向とほぼ一致するまで回転させる（図３および図４では鎖線で示す。）。
すると、延出片１２の一対の保持突条１４間にバンド本体２１のロック爪２４がはまり込むため、上記長手方向がほぼ一致した状態で仮固定されることになる。
【００２１】
この状態でバンド２０の弾性に抗して耳あて１０間を離間させ、各耳あて１０を左右の耳にあてがうと、バンド２０の復元弾性により頭が左右から耳あてに挟みこまれて耳カバーが装着されることになる。
上記のように耳あて１０とバンド２０とが仮固定されているため、耳カバー１の装着時に、耳あて１０が不意に回転して頭から外れることが防止されている。
この仮固定は、耳あて１０を少し力を入れて回転させると、その保持突条１４をバンド本体２１のロック爪２４が弾性により乗り越えるため、容易に解除される。
【００２２】
軸部１３や軸孔２３の構造は実施形態に限られず、要は耳あて１０の延出片１２とバンド２０の両端部とが、その重なり合う面とほぼ垂直の回転軸を中心に回転可能に連結されていればよい。
また、実施形態と逆に延出片に軸孔をバンドの両端部に軸部を設けてもよい。
【００２３】
この実施形態では、バンド２０と延出片１２とをその長手方向がほぼ一致する状態で仮固定可能とする構成として、延出片１２側の保持突条１４とバンド２０側のロック爪２４を例示したが、仮固定できればよく、その構成は限定されない。
また、実施形態とは逆に延出片にロック爪をバンドに保持突条を設けてもよいし、保持突条やロック爪を省略してもよい。
【００２４】
この実施形態では、防寒用の耳カバー１を例示したが、耳あてにスピーカーを内蔵したヘッドホン用の耳カバーについてもこの考案を適用可能である。
その場合は、覆い３０を省略してもよいことは無論である。
【００２５】
また、防寒用の耳カバー１においても、起毛を有する覆い３０は少なくとも耳あてが有していれば防寒機能は発揮でき、バンド２０の覆い３０については省略してもよい。
バンド２０は、構造簡略化のため、単体のバンド本体から長さ調節不能に構成してもよいことは無論である。
さらに耳あて本体１１の形状も、実施形態の椀型に限定されず、公知の形状が適用可能である。
【図面の簡単な説明】
【００２６】
【図１】耳カバーの使用状態を示す斜視図
【図２】覆いを除いた耳カバーの使用状態を示す斜視図
【図３】一方の耳あての回転動作を示す拡大斜視図
【図４】他方の耳あての回転動作を示す拡大斜視図
【図５】耳カバーを畳んだ状態を示す斜視図
【符号の説明】
【００２７】
１  耳カバー
１０  耳あて
１１  耳あて本体
１２  延出片
１３  軸部
１４  保持突条
２０  バンド
２１  バンド本体
２２  リング
２３  軸孔
２４  ロック爪
３０  覆い
【図１】
0003145987.tif 000003
【図２】
0003145987.tif 000004
【図３】
0003145987.tif 000005
【図４】
0003145987.tif 000006
【図５】
0003145987.tif 000007